(57)【要約】【課題】モジュール用コネクタに於て、モジュールの静電気を確実に除去し、静電気による被害を防止する。【解決手段】本発明は、モジュール（カメラモジュール２１）を組み込むための一端開放の中空部２５ａを有し、該中空部２５ａを形成する内側面に接触端子（コンタクトピン２６，２６…）を設けたモジュール用コネクタ２５であって、該モジュール用コネクタ２５の前記中空部２５ａ内側面に前記接触端子と離間させてアース用のグランド端子２７，２７…を設けたモジュール用コネクタを提供する。【選択図】　図３
2004063425.tif 000002
【特許請求の範囲】
【請求項１】
モジュールを組み込むための一端開放の中空部を有し、該中空部を形成する内側面に接触端子を設けたモジュール用コネクタであって、該モジュール用コネクタの前記中空部内側面に前記接触端子と離間させてアース用のグランド端子を設けたことを特徴とするモジュール用コネクタ。
【請求項２】
上記中空部は４内側面で被包されて形成され、上記グランド端子は該４内側面に夫々設けられていることを特徴とする請求項１記載のモジュール用コネクタ。
【請求項３】
上記グランド端子及び上記接触端子は夫々上記モジュールの接触パッドと接触する接触用突部を有し、該グランド端子の接触用突部は該接触端子の接触用突部よりも上記中空部の上記モジュールの挿入側に配置され、該モジュールが挿入された時、該グランド端子の接触用突部が該接触端子の接触用突部よりも先に該モジュールの接触パッドに接触するように構成したことを特徴とする請求項１又は２記載のモジュール用コネクタ。
【請求項４】
上記モジュールに係合部を設け、上記グランド端子の上記接触用突部を該係合部に係合させることにより、該モジュールの抜け止めを行うように構成したことを特徴とする請求項１，２又は３記載のモジュール用コネクタ。
【発明の詳細な説明】
【０００１】
【発明の属する技術分野】
この発明は、モジュール用コネクタに関するものであり、特に、メモリーモジュール又はカメラモジュール等の各種モジュールを組み込むためのコネクタに於て、静電対策を図ったモジュール用コネクタに関するものである。
【０００２】
【従来の技術及び発明が解決しようとする課題】
従来の此種モジュール用コネクタを図４乃至図７に従って説明する。図４は携帯電話等に実装するカメラモジュール１を示し、該カメラモジュール１はカメラモジュール本体部２と該カメラモジュール本体部２上部に形成されるレンズ部３とから成り、該カメラモジュール本体部２の底面に端子部となる複数の接触パッド４，４…、５，５…が左右２列に形成されている。
【０００３】
図５は前記カメラモジュール１を取付けるためのコネクタ６を示し、該コネクタ６は上方開放の中空部６ａを有する桝状体に形成され、該コネクタ６の底部６ｂ上面には中央近傍から夫々左右内側面まで延びる左右２列の複数の溝７，７…、８，８…が平行に形成され、該溝７，７…、８，８…内に夫々左右２列の複数の接触端子としてのコンタクトピン９，９…、１０，１０…が配設されている。
【０００４】
そして、図６に示す如く、左列のコンタクトピン９，９…は中央部近傍が一部折曲されて前記溝７，７…の上方に突設し、前記カメラモジュール１の接触パッド４，４…に接触するための接触用突部９ａ，９ａ…が形成されると共に、左方に延び前記コネクタ６を貫通して外方に突出し、且つ、該コネクタ６を載置する基板（図示せず）に接するように折曲された端子９ｂ，９ｂ…が形成されている。
【０００５】
同様に、右列のコンタクトピン１０，１０…も中央部近傍が一部折曲されて前記溝８，８…の上方に突設し、前記カメラモジュール１の接触パッド５，５…に接触するための接触用突部１０ａ，１０ａ…が形成されると共に、右方に延び前記コネクタ６を貫通して外方に突出し、且つ、該コネクタ６を載置する基板に接するように折曲された端子１０ｂ，１０ｂ…が形成されている。
【０００６】
そして、前記コンタクトピン９，９…、１０，１０…は、該コンタクトピン９，９…、１０，１０…の接触用突部９ａ，９ａ…、９ａ，９ａ…が前記カメラモジュール１の接触パッド４，４…、５，５…によって上方から押下されると、図７の二点鎖線に示す如く屈曲して、前記コンタクトピン９，９…、１０，１０…の先端部が前記底部６ｂに当接し、その反力によって前記接触パッド４，４…、５，５…を強く圧接するように構成されている。
【０００７】
而して、図７に示す如く、前記カメラモジュール１を前記コネクタ６の上方から該コネクタ６の中空部６ａ内に挿入すると、該カメラモジュール１の接触パッド４，４…、５，５…が該コネクタ６の前記コンタクトピン９，９…、１０，１０…に形成された接触用突部９ａ，９ａ…、１０ａ，１０ａ…に圧接状態で接触し、前記カメラモジュール１が前記コネクタ６に組み込まれる。
【０００８】
そして、前記カメラモジュール１の信号は前記接触パッド４，４…、５，５…から、前記接触用突部９ａ，９ａ…、１０ａ，１０ａ…を介して前記コンタクトピン９，９…、１０，１０…に伝達され、該コンタクトピン９，９…、１０，１０…から前記端子９ｂ，９ｂ…、１０ｂ，１０ｂ…を介して前記基板の回路（図示せず）に伝達される。
【０００９】
然しながら、前記コネクタ６のコンタクトピン９，９…、１０，１０…の接触用突起９ａ，９ａ…、１０ａ，１０ａ…と前記カメラモジュール１の接触パッド４，４…、５，５…は接触タイミングが同時となるように構成されており、静電対策のシーケンスが設けられていないため、静電気の発生により、前記カメラモジュール１又は前記コネクタ６に接続される電気回路を損傷する虞があった。
【００１０】
そこで、モジュール用コネクタに於て、モジュールの静電気を確実に除去し、静電気による被害を防止するために解決すべき技術的課題が生じてくるのであり、本発明はこの課題を解決することを目的とする。
【００１１】
【課題を解決するための手段】
本発明は上記目的を達成するために提案されたものであり、モジュールを組み込むための一端開放の中空部を有し、該中空部を形成する内側面に接触端子を設けたモジュール用コネクタであって、該モジュール用コネクタの前記中空部内側面に前記接触端子と離間させてアース用のグランド端子を設けたモジュール用コネクタ、
及び、上記中空部は４内側面で被包されて形成され、上記グランド端子は該４内側面に夫々設けられているモジュール用コネクタ、
及び、上記グランド端子及び上記接触端子は夫々上記モジュールの接触パッドと接触する接触用突部を有し、該グランド端子の接触用突部は該接触端子の接触用突部よりも上記中空部の上記モジュールの挿入側に配置され、該モジュールが挿入された時、該グランド端子の接触用突部が該接触端子の接触用突部よりも先に該モジュールの接触パッドに接触するように構成したモジュール用コネクタ、並びに、上記モジュールに係合部を設け、上記グランド端子の上記接触用突部を該係合部に係合させることにより、該モジュールの抜け止めを行うように構成したモジュール用コネクタを提供するものである。
【００１２】
【発明の実施の形態】
以下、本発明の一実施の形態を図１乃至図３に従って詳述する。図１は携帯電話等に実装するカメラモジュール２１を示し、該カメラモジュール２１はカメラモジュール本体部２２と該カメラモジュール本体部２２上部に形成されるレンズ部２３とから成り、該カメラモジュール本体部２２の４側面下半部に端子部となる複数の接触パッド２４，２４…が夫々鉛直方向に平行に形成されている。
【００１３】
又、前記カメラモジュール本体部２２の４側面には各側面に夫々１個ずつ係合部となる凹溝２２ａ，２２ａ，２２ａ，２２ａが各側面の上部の側端近傍に鉛直方向に形成されている。
【００１４】
図２は前記カメラモジュール２１を取付けるためのコネクタ２５を示し、該コネクタ２５は上方開放の中空部２５ａを備えた桝状体に形成され、且つ、該コネクタ２５の底部２５ｂは４側辺近傍が切欠されて開口部２５ｃ，２５ｃ…が形成され、該中空部２５ａの内側面には鉛直方向に平行に接触端子となる複数のコンタクトピン２６，２６…が配設されている。
【００１５】
更に、前記中空部２５ａの４隅部近傍には各内側面に各一個ずつアースとなるグランド端子２７，２７，２７，２７が前記コンタクトピン２６，２６…と所定間隔離間して平行に配設され、該グランド端子２７，２７，２７，２７は前記凹溝２２ａ，２２ａ，２２ａ，２２ａと係合するように該凹溝２２ａ，２２ａ，２２ａ，２２ａと対峙して設けられている。
【００１６】
そして、前記コンタクトピン２６は逆Ｖ字状に折曲されて前記コネクタ２５の中空部２５ａ内側面に固着され、該コンタクトピン２６の一端部は該コネクタ２５が載置される基板（図示せず）上面の回路（図示せず）に接するように先端の端子部２６ａが前記開口部２５ｃから下方に露出し、且つ、水平方向外方に折曲され、他端部は前記カメラモジュール本体部２２の前記接触パッド２４に接触するように内方に突設する如く折曲されて接触用突部２６ｂが形成されている。
【００１７】
又、前記グランド端子２７は略Ｕ字状に折曲されて一端が前記コネクタ２５の中空部２５ａ内側面に固着され、他端側の上端近傍には前記中空部２５ａ側に突出する如く折曲された接触用突部２７ａが形成されている。そして、該接触用突部２７ａは前記コンタクトピン２６の接触用突部２６ｂよりも上方に位置して形成されている。
【００１８】
而して、前記カメラモジュール２１を前記コネクタ２５の上方から該コネクタ２５の中空部２５ｂ内に挿入すると、該カメラモジュール２１の接触パッド２４，２４…が、先ず、該中空部２５ｂの内側面の何れかの前記グランド端子２７の前記接触用突部２７ａに接触して静電気が除去された後、図３に示す如く、該接触パッド２４，２４…が前記コンタクトピン２６，２６…に形成された接触用突部２６ｂ，２６ｂ…に圧接状態で接触すると共に、前記凹溝２２ａ，２２ａ，２２ａ，２２ａに前記グランド端子２７，２７，２７，２７の前記接触用突部２７ａ，２７ａ，２７ａ，２７ａが係合して前記カメラモジュール２１の抜け止めがなされ、前記カメラモジュール２１が前記コネクタ２５へ組み込まれる。
【００１９】
尚、前述の説明でも明らかなように、前記凹溝２２ａ，２２ａ，２２ａ，２２ａの形状は、特に限定されるものではなく、前記接触用突部２７ａ，２７ａ，２７ａ，２７ａを係合できるものであればいかなる形状でも可能であり、或いは、前記接触用突部２７ａ，２７ａ，２７ａ，２７ａが前記カメラモジュール本体２２の上面に係合するように構成することも可能である。
【００２０】
そして、前記カメラモジュール２１の信号は前記接触パッド２４，２４…から、前記接触用突部２６ｂ，２６ｂ…を介して前記コンタクトピン２６，２６…に伝達され、該コンタクトピン２６，２６…から前記端子部２６ａ，２６ａ…を介して前記基板の回路に伝達される。
【００２１】
斯くして、前記コネクタ１７は前記グランド端子２７，２７，２７，２７が設けてあり、且つ、該グランド端子２７，２７，２７，２７の接触用突部２７ａ，２７ａ，２７ａ，２７ａが前記コンタクトピン２６，２６…の接触用突部２６ａ，２６ａ…よりも上方に位置して形成してあるので、前記カメラモジュール２１の接触パッド２４，２４…が、先ず、該グランド端子２７の前記接触用突部２７ａに接触して静電気が確実に除去され、静電気による被害を防止することができる。
【００２２】
又、前記凹溝２２ａ，２２ａ，２２ａ，２２ａに前記グランド端子２７，２７，２７，２７の前記接触用突部２７ａ，２７ａ，２７ａ，２７ａが係合するため、簡素な構成で該カメラモジュール２１の抜け止めが可能となる。
【００２３】
尚、前記コネクタ１７はカメラモジュール２１を組み込むためのものであるが、本発明のコネクタは該カメラモジュールに限定されることなく、例えば、メモリーモジュール等、各種モジュール又は電気部品を組み込むためのコネクタに適用可能である。
【００２４】
更に、本発明は、本発明の精神を逸脱しない限り種々の改変を為すことができ、そして、本発明が該改変されたものに及ぶことは当然である。
【００２５】
【発明の効果】
本発明は上記一実施の形態に詳述したように、請求項１記載の発明はモジュール用コネクタに於て、該モジュール用コネクタの中空部を形成する内側面に接触端子と離間させてアース用のグランド端子を設けたので、モジュールの接触パッドが、該グランド端子に接触して静電気が除去されるので、静電気による被害を防ぐことができる。
【００２６】
又、請求項２記載の発明は、上記中空部は４内側面で被包されて形成され、上記グランド端子は該４内側面に夫々設けられているので、請求項１記載の発明の効果に加え、上記モジュール挿入時に該モジュールの接触パッドが前記４側面のいずれかのグランド端子に接触するため、確実な静電気の除去が可能になる。
【００２７】
更に、請求項３記載の発明は、上記グランド端子の接触用突部は上記接触端子の接触用突部よりも上記中空部のモジュールの挿入側に配置され、該モジュールが挿入された時、該グランド端子の接触用突部が該接触端子の接触用突部よりも先に該モジュールの接触パッドに接触するように構成したので、請求項１又は２記載の発明の効果に加え、確実安全に静電気の除去が行える。
【００２８】
更に又、請求項４記載の発明は、上記モジュールに係合部を設け、上記グランド端子の上記接触用突部を該係合部に係合させることにより、該モジュールの抜け止めを行うように構成したので、請求項１，２又は３記載の発明の効果に加え、簡素な構成でモジュールの抜け止めが行える等、正に著大なる効果を奏する発明である。
【図面の簡単な説明】
【図１】（ａ）本発明の一実施の形態を示し、カメラモジュールの平面図。
（ｂ）前図（ａ）のカメラモジュールの正面図。
（ｃ）前図（ａ）のカメラモジュールの背面図。
（ｄ）前図（ａ）のカメラモジュールの左側面図。
（ｅ）前図（ａ）のカメラモジュールの右側面図。
（ｆ）前図（ａ）のカメラモジュールの底面図。
【図２】（ａ）本発明の一実施の形態を示し、コネクタの平面図。
（ｂ）前図（ａ）のコネクタの正面図。
（ｃ）前図（ａ）のコネクタの右側面図。
（ｄ）前図（ａ）のコネクタの正面縦断面図。
【図３】図１に示すカメラモジュールを図２に示すコネクタに組み込んだ状態を示す正面縦断面図。
【図４】（ａ）従来例を示し、カメラモジュールの正面図。
（ｂ）前図（ａ）のカメラモジュールの平面図。
（ｃ）前図（ａ）のカメラモジュールの側面図。
（ｄ）前図（ａ）のカメラモジュールの底面図。
【図５】（ａ）従来例を示し、コネクタの正面図。
（ｂ）前図（ａ）のコネクタの平面図。
（ｃ）前図（ａ）のコネクタの側面図。
【図６】図５に示すコネクタの拡大正面縦断面図。
【図７】図４に示すカメラモジュールを図５に示すコネクタに組み込んだ状態を示す正面縦断面図。
【符号の説明】
２４　　　　　　　接触パッド
２５　　　　　　　コネクタ
２５ａ　　　　　　中空部
２６ｂ，２７ａ　　接触用突部
２７　　　　　　　グランド端子
【図１】
2004063425.tif 000003
【図２】
2004063425.tif 000004
【図３】
2004063425.tif 000005
【図４】
2004063425.tif 000006
【図５】
2004063425.tif 000007
【図６】
2004063425.tif 000008
【図７】
2004063425.tif 000009